(57)【要約】【課題】被処理水に対する消毒剤の溶解量を容易に調節することができる浄化槽の薬筒取付け構造を提供すること。【解決手段】薬剤を収容可能であり、且つ移流する被処理水Ｗが流入し得る流入口２０と、被処理水Ｗが流出し得る流出口２１とをその周部に備えて、流入した被処理水Ｗと収容された薬剤とを接触させ得る薬筒１４を、被処理水Ｗが移流する移流部１７に取り付ける浄化槽の薬筒取付け構造であって、薬筒１４は、移流部１７に設置した状態で、その筒軸心周りに回転可能に取り付けられており、薬筒１４を回転させて流入口２０の向きを変更することによって流入口２０に対する被処理水Ｗの流入量を調節可能な流入量調整手段を設けてある浄化槽の薬筒取付け構造。【選択図】図１２
2008246330.tif 000002
【特許請求の範囲】
【請求項１】
薬剤を収容可能であり、且つ移流する被処理水が流入し得る流入口と、前記被処理水が流出し得る流出口とをその周部に備えて、流入した前記被処理水と収容された前記薬剤とを接触させ得る薬筒を、前記被処理水が移流する移流部に取り付ける浄化槽の薬筒取付け構造であって、
前記薬筒は、前記移流部に設置した状態で、その筒軸心周りに回転可能に取り付けられており、前記薬筒を回転させて前記流入口の向きを変更することによって前記流入口に対する前記被処理水の流入量を調節可能な流入量調整手段を設けてある浄化槽の薬筒取付け構造。
【請求項２】
前記流入量調整手段は、前記移流部に設けられ、前記流入口を閉塞し得る壁部からなる請求項１に記載の浄化槽の薬筒取付け構造。
【請求項３】
前記流入量調整手段は、前記移流部における前記被処理水の流れに対する前記流入口の向きを変更可能とする構成からなる請求項１に記載の浄化槽の薬筒取付け構造。
【請求項４】
前記薬筒の上部に、前記流入口への前記被処理水の流入度を表示する表示部を設けている請求項１〜３のいずれか１項に記載の浄化槽の薬筒取付け構造。
【請求項５】
前記薬筒の回転操作が一定の回転角位置で規制されるストッパー機構を設けてある請求項１〜４のいずれか１項に記載の浄化槽の薬筒取付け構造。
【発明の詳細な説明】
【技術分野】
【０００１】
本発明は、薬剤を収容可能であり、且つ移流する被処理水が流入し得る流入口と、前記被処理水が流出し得る流出口とをその周部に備えて、流入した前記被処理水と収容された前記薬剤とを接触させ得る薬筒を、複数の処理槽間を前記被処理水が移流する移流部に取り付ける浄化槽の薬筒取付け構造に関する。
【背景技術】
【０００２】
従来の一般的な浄化槽には、上流側から第１嫌気濾床槽、第２嫌気濾床槽、接触曝気槽、沈殿槽、及び消毒槽等が順に配置されている。
被処理水（し尿、生活雑排水等）は、原水流入部から流入し、以降、第１嫌気濾床槽、第２嫌気濾床槽、接触曝気槽において順次浄化処理された後、沈殿槽に流入する。
沈殿槽に流入した被処理水は、汚泥が沈殿分離され、その上澄み液がオーバフローして移流部を流れ、移流部に設置された薬筒内の消毒剤と接触して消毒された後、消毒槽を経て、放流口から放流される。
被処理水を消毒剤で消毒する際、消毒剤（例えば、塩素剤等）の溶解量が多過ぎると、被処理水中に残留する消毒剤量も多くなり、そのまま放流された場合、発癌性物質のトリハロメタン等が生成される危険性が増大して自然環境を害することとなる。また、消毒剤の溶解量が少なすぎても、被処理水の消毒が不十分となり、河川等を汚し、自然環境を害することとなる。
従って、浄化槽においては、被処理水中に適正な量の消毒剤を溶解させる必要がある。
一方、被処理水の汚れ度合いや、季節等（微生物が繁殖し易い夏場は、微生物の繁殖し難い冬場よりも、消毒剤を多めに溶解させる必要がある）によっても、消毒剤溶解量の適正値が変化し得るため、随時、その溶解量を調節し得るような構成であることが要求される。
そこで、従来の浄化槽においては、内筒と外筒の二重筒構造を有し、且つその下端部に、被処理水の流入口と流出口とが設けられており、内筒を外筒に対して周方向に回転させることにより流入口と流出口の開口面積を調節し得る薬筒（即ち、この薬筒は、薬筒内への被処理水の流入量を調節することによって、被処理水に対する消毒剤の溶解量を調節することができる）を、沈殿槽から消毒槽にわたる被処理水の移流部に設置する構成が提案されている。（特許文献１参照）
【０００３】
【特許文献１】実開昭５６−６４７９８号公報
【発明の開示】
【発明が解決しようとする課題】
【０００４】
しかしながら、上述の従来の浄化槽においては、被処理水に対する消毒剤の溶解量を調節するたびに、作業者は、薬筒を、移流部からいちいち取り外さなければならなかった（即ち、薬筒を一旦取り外してからでなければ、その内筒を外筒に対して周方向に回転させることができなかった）。さらに、その際、手が消毒剤や被処理水で汚れるため、予めゴム手袋等をはめなければならず、非常に面倒な作業であった。
本発明は、上記実情に鑑みてなされたものであって、被処理水に対する消毒剤の溶解量を、作業者の手等を汚すことなく容易に調節することができる浄化槽の薬筒取付け構造を提供するものである。
【課題を解決するための手段】
【０００５】
本発明の第１特徴構成は、薬剤を収容可能であり、且つ移流する被処理水が流入し得る流入口と、前記被処理水が流出し得る流出口とをその周部に備えて、流入した前記被処理水と収容された前記薬剤とを接触させ得る薬筒を、前記被処理水が移流する移流部に取り付ける浄化槽の薬筒取付け構造であって、前記薬筒は、前記移流部に設置した状態で、その筒軸心周りに回転可能に取り付けられており、前記薬筒を回転させて前記流入口の向きを変更することによって前記流入口に対する前記被処理水の流入量を調節可能な流入量調整手段を設けてある点にある。
〔作用及び効果〕
本発明の浄化槽の薬筒取付け構造によれば、薬筒が、移流部に設置した状態で、その筒軸心周りに回転可能に取り付けられており、薬筒を回転させて流入口の向きを変更することによって前記流入口に対する被処理水の流入量を調節可能な流入量調整手段を設けてあるため、作業者は、薬筒を移流部に設置したまま、その筒軸心周りに回転させて薬筒内への被処理水の流入量を調節することによって、被処理水に対する消毒剤の溶解量を調節することができる。
即ち、作業者は、被処理水に対する消毒剤の溶解量を調節する際、薬筒を、移流部からいちいち取り外す必要がなく、さらに、作業者は、被処理水や消毒剤が付着する虞の少ない薬筒の上端部分を掴んで薬筒を回転させることも可能であるため、作業者の手が汚れ難く、特に手袋等をする必要もない。
【０００６】
本発明の第２特徴構成は、前記流入量調整手段は、前記移流部に設けられ、前記流入口を閉塞し得る壁部からなる点にある。
〔作用及び効果〕
本発明の浄化槽の薬筒取付け構造によれば、薬筒が、移流部に設置した状態で、その筒軸心周りに回転可能に取り付けられており、薬筒を回転させることによって、流入口を閉塞し得る壁部を移流部に設けてあるため、作業者は、薬筒を移流部に設置したまま、その筒軸心周りに回転させて薬筒内への被処理水の流入量を調節することによって、被処理水に対する消毒剤の溶解量を調節することができる。
即ち、作業者は、被処理水に対する消毒剤の溶解量を調節する際、薬筒を、移流部からいちいち取り外す必要がなく、さらに、作業者は、被処理水や消毒剤が付着する虞の少ない薬筒の上端部分を掴んで薬筒を回転させることも可能であるため、作業者の手が汚れ難く、特に手袋等をする必要もない。
【０００７】
本発明の第３特徴構成は、前記流入量調整手段は、前記移流部における前記被処理水の流れに対する前記流入口の向きを変更可能とする構成からなる点にある。
〔作用及び効果〕
本発明の浄化槽の薬筒取付け構造によれば、薬筒が、移流部に設置した状態で、その筒軸心周りに回転可能に取り付けられており、薬筒を回転させて前記移流部における前記被処理水の流れに対する前記流入口の向きを変更することによって、流入口に対する被処理水の流入量を調節自在に構成してあるため、作業者は、薬筒を移流部に設置したまま、その筒軸心周りに回転させるだけで、被処理水に対する消毒剤の溶解量を調節することができる。
即ち、作業者は、被処理水に対する消毒剤の溶解量を調節する際、薬筒を、移流部からいちいち取り外す必要がなく、さらに、作業者は、被処理水や消毒剤が付着する虞の少ない薬筒の上端部分を掴んで薬筒を回転させることも可能であるため、作業者の手が汚れ難く、特に手袋等をする必要もない。
【０００８】
本発明の第４特徴構成は、前記薬筒の上部に、前記流入口への前記被処理水の流入度を表示する表示部を設けている点にある。
〔作用及び効果〕
前記薬筒の上部に、流入口への被処理水の流入度を表示する表示部を設けているため、作業者は、被処理水に対する消毒剤の溶解量を調節する際、消毒剤の溶解量を増加又は減少させるために、左右いずれの方向に薬筒を回転させるべきかを容易に判断することができる。
ここで、流入度とは、流入口の開度を表示するものであっても良く、また、被処理水の流れに対する流入口の向きを表示するものであっても良い。
【０００９】
本発明の第５特徴構成は、前記薬筒の回転操作が一定の回転角位置で規制されるストッパー機構を設けてある点にある。
〔作用及び効果〕
薬筒の回転操作が一定の回転角位置で規制されるストッパー機構を設けてあるため、過剰な回転操作が防止され得ると共に、例えば、流入口の開度が全開若しくは全閉である位置（又は、流入口への被処理水の流入度が最大若しくはゼロである位置）で回転操作が規制されるように構成することによって、作業者は、流入口の開度が全開若しくは全閉であること（流入口への被処理水の流入度が最大若しくはゼロであること）を、容易に把握することができる。
【発明を実施するための最良の形態】
【００１０】
以下に本発明の実施の形態を図面に基づいて説明する。
〔第１実施形態〕
図１は、本発明の薬筒取付け構造を備えた浄化槽１の側断面を模式的に示したものである。浄化槽１には、上流側から第１嫌気濾床槽２、第２嫌気濾床槽３、接触曝気槽４、沈殿槽５、及び消毒槽６が順に配置されている。
被処理水Ｗ（し尿、生活雑排水等）は、原水流入部７から流入し、以降、第１嫌気濾床槽２、第２嫌気濾床槽３、接触曝気槽４において順次浄化処理された後、沈殿槽５に流入する。
沈殿槽５の上方には、図１及び図２に示すように、沈殿槽５からの被処理水Ｗが越流する開口部１２を設けた第１越流堰１０と、被処理水Ｗが下流側に越流する越流部１３を設けた第２越流堰１１とを備えた上方開放型の集水箱９が設けられている。
【００１１】
図２〜図５は、図１における集水箱９とその周辺部分（以下、要部と略称する）を拡大して、より詳細に示したものである。図２は、第１越流堰１０を記載した要部の斜視図であり、図３は要部の平面図であり、図４は、図３の矢視線Ｘ−Ｘにおける要部の側断面図であり、図５は、図３の矢視線Ｙ−Ｙにおける要部の側断面図であり、各矢印は被処理水Ｗが流れる方向を示している。
図２及び図４に示されるように、第１越流堰１０には、沈殿槽５からの被処理水Ｗが越流し得る開口部１２が、浄化槽本体の幅方向に複数設けられており、開口部１２は、その上端の幅と下端の幅とが略同じ長さを有するスリット形状に構成されている。
図２〜図５に示されるように、沈殿槽５に流入し、汚泥が沈殿分離された被処理水Ｗは、集水箱９の第１越流堰１０における開口部１２を越流して集水箱９内に流入する。
次いで、集水箱９内に流入した被処理水Ｗは、集水箱９の第２越流堰１１における越流部１３を越流して、エアリフト槽１５内に流入し、エアリフトポンプ１６によって、薬筒１４が設置されている設置台１７（移流部）に揚水されて、薬筒１４内の消毒剤と接触して消毒された後、消毒槽６を経て、放流口８から放流される。
【００１２】
図６〜図９は、薬筒１４の詳細を示したものである。図６は、薬筒１４を設置台１７に設置するときの様子を示す斜視図であり、図７は、薬筒１４の側断面図であり、図８は、図７の矢視線Ｚ−Ｚにおける平断面図であり、図９は、薬筒１４の蓋部１９の平面図である。
図７に示されるように、薬筒１４は、薬剤（塩素剤、リン除去剤、釘等）をその開口部分１８ａから収容することができる筒本体部１８を備え、その上部に蓋部１９が設けられている。尚、蓋部１９は、開口部分１８ａを自在に開閉することができるように取り付けられている。
図６〜図８に示されるように、筒本体部１８の下部（周部）には、移流する被処理水Ｗが流入し得る流入口２０と、被処理水Ｗが流出し得る流出口２１とを備えており、筒本体部１８に流入した被処理水Ｗと収容された薬剤とが接触し得る構成となっている。
また、図９に示されるように、蓋部１９には、流入口２０の開度を表示する（即ち、流入口２０への被処理水Ｗの流入度を表示する）表示部１９ａが設けられており、作業者は、被処理水Ｗに対する消毒剤の溶解量を調節する際、消毒剤の溶解量を増加又は減少させるために、左右いずれの方向に薬筒１４を回転させるべきかを容易に判断することができる。
【００１３】
図１０は、薬筒１４を設置した設置台１７（移流部）の平面図である。
図１０に示されるように、設置台１７（移流部）は、エアリフトポンプ１６によって揚水された被処理水Ｗが移流し得る導入部１７ａ、薬筒１４を設置する設置部１７ｂ、薬筒１４内の消毒剤と接触して消毒された後の被処理水Ｗが排水される排水部１７ｃ（消毒された非処理水Ｗは、開口する排水部１７ｃから消毒槽６に落水する）、並びに、壁部２２（流入量調整手段）を備えている。
薬筒１４は、設置部１７ｂに設置された状態で、その筒軸心周りに回転可能に取り付けられており（薬筒１４は、壁部２２に囲まれた設置部１７ｂに嵌入装着し得る構成となっている）、薬筒１４を回転させることによって、流入口２０及び流出口２１と、壁部２２とが重なり合い、その重なり度合いによって、流入口２０及び流出口２１の開度を調節することができる。
【００１４】
図１１〜図１３は、薬筒１４を、設置部１７ｂに設置した状態で、その筒軸心周りに回転させ、流入口２０及び流出口２１の開度を調節している様子を示している。尚、図１１〜図１３において、（イ）は、薬筒１４及び設置部１７の斜視図であり、（ロ）は、薬筒１４及び設置部１７の平断面図である。
図１１は、流入口２０及び流出口２１の開度を全開としたときの様子である。このとき、エアリフトポンプ１６によって揚水される被処理水Ｗのほとんどが、薬筒１４内に流入し得るため（薬筒１４内に流入する被処理水量が最大となる）、被処理水Ｗに対する消毒剤の溶解量も最大となる。
図１２は、流入口２０及び流出口２１の開度を半開としたときの様子である。このとき、エアリフトポンプ１６によって揚水される被処理水Ｗの一部が、薬筒１４内に流入し、残りは、壁部２２に設けられた落水口２２ｂより落水して消毒槽６内に流入するため、被処理水Ｗに対する消毒剤の溶解量も、上記図１１の全開の場合と比べて小さくなる。
図１３は、流入口２０及び流出口２１の開度を全閉としたときの様子である。このとき、薬筒１４に流入する被処理水量がゼロとなり、被処理水Ｗは、壁部２２に設けられた落水口２２ｂより落水して消毒槽６内に流入するため、被処理水Ｗに対する消毒剤の溶解量はゼロとなる。
【００１５】
尚、図６〜図８、図１０〜図１３に示されるように、筒本体部１８の下部外周面には、その直径方向の相対する位置に、２つの突起部２３が設けられており、壁部の被係止部２２ａと共に、ストッパー機構を構成している。即ち、薬筒１４を回転操作する際、筒本体部の突起部２３が、壁部の被係止部２２ａにて係止することによって、薬筒１４の回転操作が、流入口２０の開度が全開（図１１）若しくは全閉（図１３）である位置（一定の回転角位置）で規制されるように構成されている。
【００１６】
〔別実施形態〕
図１４〜図１６は、本発明の別実施形態を模式的に示したものである。尚、上記実施形態と同じ符号をもつものは、上記実施形態と同様の構成部材であることを示しており、上記実施形態と同じ構成については、その説明を省略し、異なる構成についてのみ記載する。
図１４〜図１６に示されるように、本発明の別実施形態は、上記実施形態と異なり、薬筒１４の設置台１７（移流部）に、壁部２２を備えていない。また、筒本体部１８の下部（周部）の流入口２０と流出口２１との間に、移流部における被処理水の流れに対して、被処理水が薬筒１４内へ流入するのを阻止し得る領域を設けてある。
即ち、薬筒１４は、設置台１７（移流部）の設置部１７ｂに設置した状態で、その筒軸心周りに回転可能に取り付けられており、薬筒１４を回転させて、被処理水Ｗの移流方向に対する流入口２０の向きを変更調節することによって、流入口２０に対する被処理水Ｗの流入量を調節することができる構成（流入量調整手段）となっている。尚、薬筒の蓋部１９には、被処理水Ｗの流れに対する流入口２０の向きを表示する（即ち、流入口２０への被処理水Ｗの流入度を表示する）表示部１９ａが設けられている。
図１４（（イ）：斜視図、（ロ）：平断面図）に示される別実施形態においては、薬筒１４を、薬筒支え２４によって、その筒軸心周りに回転可能に設置部１７ｂに設置している。図１４（ロ）に示されるように、流入口２０及び流出口２１の位置を、被処理水Ｗの移流方向に対して横方向に向けることによって、被処理水Ｗが、薬筒１４内に流入し難くなる。即ち、薬筒１４内に流入する被処理水量が最小であり、被処理水Ｗに対する消毒剤の溶解量も最小となる。
図１５に示される別実施形態においては、薬筒１４を、薬筒支え２４によって、その筒軸心周りに回転可能に設置部１７ｂに設置し、その設置部１７ｂに薬筒１４の外周面に略沿うような段差２５を設けている。尚、図１５は、薬筒１４内に流入する被処理水量が最小であり、被処理水Ｗに対する消毒剤の溶解量も最小となるときの様子を示している。
また、図１６に示される別実施形態においては、設置部１７ｂに、薬筒１４の外周面に略沿うような段差２５を設け、その段差２５の高さＳと、流入口２０及び流出口２１の下端の高さＴとが同じである（Ｓ＝Ｔ）薬筒１４を、その筒軸心周りに回転可能に設置する。尚、図１６は、薬筒１４内に流入する被処理水量が最小であり、被処理水Ｗに対する消毒剤の溶解量も最小となるときの様子を示している。
【００１７】
〔その他の実施形態〕
１．薬筒の設置場所は、沈殿槽から消毒槽にわたる被処理水の移流部に限られず、各処理槽間の移流部（嫌気処理槽（嫌気濾床槽等）から好気処理槽（接触曝気槽等）にわたる被処理水の移流部、好気処理槽から沈殿槽にわたる被処理水の移流部等）、又は、汚泥返送菅や処理水循環配管等の被処理水の移流配管に設ける構成としても良い。また、薬筒に収容する薬剤は、消毒剤に限らず、リン除去剤や凝集剤等でも良い。
２．移流部１７の導入部１７ａ及び排水部１７ｃの配置関係や設置数、並びに、薬筒１４の流入口２０及び流出口２１の配置関係や設置数は、上述の実施形態に限定されるものではなく、例えば、図１７に示されるように、移流部１７が、複数（２つ）の導入部１７ａを備えるものであり、且つ薬筒１４が、それらの各導入部１７ａに対応するような複数（２つ）の流入口２０を備える構成を有するものであっても良い。また、薬筒の流入口と流出口は、１つの開口であっても良い。
尚、図１７（イ）〜（ハ）はそれぞれ、流入口２０及び流出口２１の開度を全開（イ）、半開（ロ）、全閉（ハ）としたときの様子を示している。
３．ストッパー機構は、上述の実施形態に限定されるものではなく、図１８に示されるように、薬筒１４の下面に円弧状の２つの凹部２６を設け、設置部１７ｂに２つの被係止突部２７を設け、薬筒１４を設置部１７ｂに取り付ける際、各被係止突起に各凹部２８をそれぞれ嵌め込んで設置し、凹部の内側面部２６ａが、被係止突部２７に当接することによって、薬筒１４の回転操作が、一定の回転角位置で規制されるように構成しても良い。あるいは、図１９に示されるように、薬筒１４の下端に流入口２０として切り欠き部２８を設け、設置部１７ｂに被係止突部２７を設けており、切り欠き部の内側面部２８ａが、被係止突部２７に当接することによって、薬筒１４の回転操作が、一定の回転角位置で規制されるように構成しても良い。
４．上述の実施形態においては、エアリフトポンプを着脱自在に設ける構成としても良い。また、エアリフトポンプを設ける構成とせず、自然移流によって被処理水を消毒槽に流入させる構成としても良い。
【図面の簡単な説明】
【００１８】
【図１】本発明の薬筒取付け構造を備えた浄化槽の側断面を模式的に示した図
【図２】本発明の薬筒取付け構造を備えた浄化槽の要部を拡大した斜視図
【図３】本発明の薬筒取付け構造を備えた浄化槽の要部を拡大した平面図
【図４】本発明の薬筒取付け構造を備えた浄化槽の要部を拡大した側断面図
【図５】本発明の薬筒取付け構造を備えた浄化槽の要部を拡大した側断面図
【図６】薬筒を設置台に設置するときの様子を示す斜視図
【図７】薬筒の側断面図
【図８】図７の矢視線Ｚ−Ｚにおける平断面図
【図９】薬筒の蓋部の平面図
【図１０】薬筒を設置した設置台（移流部）の平面図
【図１１】薬筒の流入口及び流出口の開度を全開としたときの様子を示す図
【図１２】薬筒の流入口及び流出口の開度を半開としたときの様子を示す図
【図１３】薬筒の流入口及び流出口の開度を全閉としたときの様子を示す図
【図１４】本発明の別実施形態を模式的に示した図
【図１５】本発明の別実施形態を模式的に示した図
【図１６】本発明の別実施形態を模式的に示した図
【図１７】本発明のその他の実施形態を模式的に示した図
【図１８】ストッパー機構のその他の実施形態を模式的に示した図
【図１９】ストッパー機構のその他の実施形態を模式的に示した図
【符号の説明】
【００１９】
１  浄化槽
２  第１嫌気濾床槽
３  第２嫌気濾床槽
４  接触曝気槽
５  沈殿槽
６  消毒槽
７  原水流入部
８  放流口
９  集水箱
１０  第１越流堰
１１  第２越流堰
１２  開口部
１３  越流部
１４  薬筒
１５  エアリフト槽
１６  エアリフトポンプ
１７  設置台
１７ａ  導入部
１７ｂ  設置部
１７ｃ  排水部
１８  筒本体部
１８ａ  開口部分
１９  蓋部
２０  流入口
２１  流出口
２２  壁部
２２ａ  壁部の被係止部
２２ｂ  落水口
２３  突起部
２４  薬筒支え
２５  段差
２６  凹部
２６ａ  凹部の内側面部
２７  被係止突部
２８  切り欠き部
２８ａ  切り欠き部の内側面部
【図１】
2008246330.tif 000003
【図２】
2008246330.tif 000004
【図３】
2008246330.tif 000005
【図４】
2008246330.tif 000006
【図５】
2008246330.tif 000007
【図６】
2008246330.tif 000008
【図７】
2008246330.tif 000009
【図８】
2008246330.tif 000010
【図９】
2008246330.tif 000011
【図１０】
2008246330.tif 000012
【図１１】
2008246330.tif 000013
【図１２】
2008246330.tif 000014
【図１３】
2008246330.tif 000015
【図１４】
2008246330.tif 000016
【図１５】
2008246330.tif 000017
【図１６】
2008246330.tif 000018
【図１７】
2008246330.tif 000019
【図１８】
2008246330.tif 000020
【図１９】
2008246330.tif 000021